(57)【要約】      （修正有）【課題】出会いの機会が均等に用意され、自身に適した異性利用者を容易に導出するシステムを提供する。【解決手段】マッチング集合を作成して利用者間での出会いを支援するための支援サーバ１は、複数の利用者端末１０から入力された利用者情報及び利用者のペアに関する組み合わせ情報を記録し、利用者の日程や対象地域、参加条件等の情報を集合作成条件として記録し、前記集合作成条件と前記利用者情報に基づいて複数の男性利用者及び複数の女性利用者の集合であるマッチング集合を自動で作成する。設定された入力可能期間内に前記利用者端末から入力された、前記マッチング集合に属する異性利用者とのマッチングの希望順位に基づいて、マッチング集合に属する男性利用者及び女性利用者が重複しない複数のペアを導出し、導出されたペアを組み合わせ情報として記録し、組み合わせ情報として記録された利用者間で双方向に連絡を行う為の連絡手段を提供する。【選択図】図１
2017146944.tif 000002
【特許請求の範囲】
【請求項１】
マッチング集合を作成して利用者間での出会いを支援するための支援サーバと、前記支援サーバとネットワークを通じて接続された複数の利用者端末とを備えた出会い支援システムであって、
前記支援サーバは、前記利用者端末から入力された利用者情報及び利用者のペアに関する組み合わせ情報を記録する利用者情報記録部と、
前記利用者を要素とするマッチング集合を自動で作成するための日程や対象地域、参加条件等の情報を記録する集合作成条件記録部と、
前記集合作成条件と前記利用者情報に基づいて複数の男性利用者及び複数の女性利用者の集合である前記マッチング集合を自動で作成する集合作成手段と、
設定された入力可能期間内に前記利用者端末から入力された、前記マッチング集合に属する異性利用者とのマッチングの希望順位を記録する順位受付手段と、
前記希望順位に基づいて、前記マッチング集合に属する男性利用者及び女性利用者が重複しない複数のペアを導出するマッチング手段と、
前記マッチング手段によって導出されたペアを前記組み合わせ情報として記録するペア情報追加手段と、
前記組み合わせ情報として記録された利用者間で双方向に連絡を行う為の連絡手段と、を有することを特徴とする出会い支援システム。
【請求項２】
利用者が、前記マッチング集合に希望順位の入力可能期間の途中から参加することができることを特徴とする請求項１に記載の出会い支援システム。
【請求項３】
異性利用者が参加している前記マッチング集合の情報を前記異性利用者のプロフィール画面に表示し、利用者が閲覧できる状態にすることで、前記利用者が好意を持った異性利用者が参加しているマッチング集合に、希望順位の入力可能期間の途中から参加することができることを特徴とする請求項１又は請求項２に記載の出会い支援システム。
【発明の詳細な説明】
【技術分野】
【０００１】
本発明は、インターネット上での男女の出会いを支援するための、出会い支援マッチングシステムに関するものである。
【背景技術】
【０００２】
恋人や結婚を望む男女に、インターネットを用いて出会いの場を提供するオンラインの出会いサービスが数多く存在しており、近年注目を集めている。
【０００３】
オンラインの出会いサービスでは、各利用者が自身のプロフィールや写真等をインターネット上に公開しており、利用者は異性が公開している情報を基に、自身が好意的に思う異性を見つけ、好意を持った異性に対して電子メール等のメッセージサービスを用いて連絡を行うのが一般的である。
【０００４】
非対面式のオンラインの出会いサービスは、対面式の出会いサービスに比べて手軽にサービスを利用することができる。また、オンラインのため多くの利用者の中から好みの異性を探すことができる。その結果、自身の希望により適合した異性に対してアプローチする機会がある。
【０００５】
しかしながら、各利用者の異性に対する希望条件は、ある程度共通している場合が多い。例えば、相対的に収入が高い男性利用者は女性からの人気度は高くなると考えられる。また、年齢や外見など、各人の好みは異性利用者の分布の中で偏る傾向がある。更に、オンラインの出会いサービスでは容易にメッセージを送信することが可能なため、自身より相対的に人気度の高い異性利用者に対して連絡をする傾向が強まる。そのため、相対的に人気度の高い利用者に人気が集中することとなる。
【０００６】
しかし、人気の集中が起こることにより、人気度の高い利用者には膨大な数の連絡が届くこととなる。膨大な数の利用者の比較を十分に行うことは多大な労力を必要とするものであり、そのまま連絡が返ってこない保留状態の利用者も膨大な数生まれることとなる。一方で、一部の利用者に人気が集中するため、人気度が平均的な利用者の場合は、自身よりも相対的に人気度が低い異性利用者からの連絡が多くなる傾向にある。その結果、人気の集中によって適切な出会いの機会が阻害されるという問題が発生している。また、自身に適した異性利用者を見つけることは、異性利用者の数が膨大になると困難になる側面がある。
【０００７】
このような実状を鑑みて、特許文献１は、複数の男性利用者と複数の女性利用者を対象とするマッチングイベントをオンライン上で作成し、そのマッチングイベントに参加した各利用者は異性に対して自身の好みに基づいて希望順位を入力し、その後にシステムが各利用者の希望順位を集計して、独自のアルゴリズムを用いて最適な男女のペアをマッチングさせる出会い支援システムについて記載している。特許文献１に記載の発明によって、膨大な数の利用者の中から、自身の好みだけでなく相手の異性利用者の好みも反映した上でマッチングを成立させることができるようになり、自身に適した異性利用者をオンラインでも従来よりも容易に見つけることが可能になった。
【０００８】
特許文献１に記載の出会い支援システムでは、システムの管理者がオンライン上にマッチングイベントを作成するステップ、利用者がマッチングイベントに自ら予約するステップ、設定された日時にマッチングイベントが開始されて利用者が異性利用者に対して希望順位を入力するステップ、システムが各利用者の希望順位を集計してマッチング結果を各利用者に通知するステップ、マッチングが成立した利用者と異性利用者で連絡を取るステップ、という流れで出会いの支援を行うものであると解釈できる。
【先行技術文献】
【特許文献】
【０００９】
【特許文献１】特開２０１６−０１８３１２号公報
【発明の概要】
【発明が解決しようとする課題】
【００１０】
しかしながら、特許文献１のマッチングの流れでは、第一に、利用者がマッチングイベントに自ら予約する割合がおよそ2割程度と低いこと。第二に、各利用者がマッチングイベントに予約するタイミングはばらばらであるために、各マッチングイベントの最小開催人数を超える予約数を定常的に確保するのが困難であること、などの課題が現実に発生している。その結果、マッチングイベントを定常的に開催できないため、利用者に出会いの機会を提供するという効果が低減してしまうという課題があった。
【００１１】
また、特許文献１の仕組みでは、利用者がアプローチできる異性利用者は、該利用者と同じマッチングイベントに参加している異性利用者だけである。しかし、該異性利用者は、出会いサービスに登録している全ての異性利用者のうちの一部に過ぎない。一方で、利用者が出会いサービスの全ての異性利用者を直接検索できて、好みの異性利用者を見つけた際に、該異性利用者に対して好意を伝えるための何かしらのアプローチができる手段があれば便利だが、特許文献1に記載の仕組みではその手段がないという課題があった。
【課題を解決するための手段】
【００１２】
上記課題を解決するために、本発明は、マッチング集合を作成して利用者間での出会いを支援するための支援サーバと、前記支援サーバとネットワークを通じて接続された複数の利用者端末とを備えた出会い支援システムであって、前記支援サーバは、前記利用者端末から入力された利用者情報及び利用者のペアに関する組み合わせ情報を記録する利用者情報記録部と、前記利用者を要素とするマッチング集合を自動で作成するための日程や対象地域、参加条件等の情報を記録する集合作成条件記録部と、前記集合作成条件と前記利用者情報に基づいて複数の男性利用者及び複数の女性利用者の集合である前記マッチング集合を自動で作成する集合作成手段と、設定された入力可能期間内に前記利用者端末から入力された、前記マッチング集合に属する異性利用者とのマッチングの希望順位を記録する順位受付手段と、前記希望順位に基づいて、前記マッチング集合に属する男性利用者及び女性利用者が重複しない複数のペアを導出するマッチング手段と、前記マッチング手段によって導出されたペアを前記組み合わせ情報として記録するペア情報追加手段と、前記組み合わせ情報として記録された利用者間で双方向に連絡を行う為の連絡手段と、を有することを特徴とする。
【００１３】
このような構成とすることで、本発明から成る出会い支援システムでは、設定された日時になるとシステムは予め設定されたマッチング集合作成条件に基づいて、自動で参加条件に合致する利用者のリストを取得し、複数の男女の利用者から成るマッチング集合を作成し、直ぐに該マッチング集合をイベント開始の状態にする。その結果、利用者はマッチングイベントに自ら予約して開始まで待つことなく、定常的に直ぐに異性利用者とのマッチングの希望順位を入力することが可能となり、利用者の利便性が著しく向上した。
【００１４】
特許文献1のマッチングの流れでは、利用者がマッチングイベントに自ら予約するステップと、予約後にマッチングイベントが開催される日時まで待つステップが存在したが、本発明により前記2つのステップは省略が可能となる。本発明では、利用者は定期的にマッチングイベントに自動で組み込まれて参加の状態になるため、自ら毎回予約をしなくても定常的に直ぐに異性の希望順位を入力することが可能となり、利用者の利便性は著しく向上した。また、システムは定期的に一斉に、複数の男女の利用者から成るマッチング集合を作成するため、特許文献1に記載のように利用者の予約のタイミングがばらばらのために各マッチングイベントの最小開催人数を超える予約数を定常的に確保するのが困難であるという課題も解決することができた。
【００１５】
本発明の好ましい形態では、利用者が、前記マッチング集合に希望順位の入力可能期間の途中から参加することができることを特徴とする。
このような構成とすることで、利用者は、システムが定期的にマッチング集合を作成するまで待つことなく、自身が参加したい開催中のマッチングイベントにいつでも途中から参加することが可能となる。
【００１６】
本発明の好ましい形態では、異性利用者が参加しているマッチング集合の情報を前記異性利用者のプロフィール画面に表示し、利用者が閲覧できる状態にすることで、利用者が好意を持った異性利用者が参加しているマッチング集合に、希望順位の入力可能期間の途中から参加することができることを特徴とする。
本発明に基づく出会い支援システムでは、利用者が異性利用者のプロフィールを直接検索できて、自身の好みの異性利用者を探すことができる。上記の構成とすることで、利用者が直接検索して自身の好みの異性利用者を見つけた際に、該異性利用者が参加している同じマッチングイベントに途中から参加することが可能となる。その結果、利用者は、システムが作成したマッチングイベントに参加している異性利用者だけに限らず、出会いサービス全体から直接探した異性利用者と同じマッチングイベントに参加することが可能となり、利用者に多様な出会いの機会を提供することが可能となった。
【発明の効果】
【００１７】
本発明によって、従来の出会いサービスにおいて適切な出会いの機会を阻害していた人気の集中という課題が解決され、出会いの機会が均等に用意されることで、利用者自身に適した異性利用者を容易に導出することが可能となった。更に、システムが自動で複数の男女の利用者から成るマッチング集合を作成してイベント開始の状態にすることで、利用者はマッチングイベントに自ら毎回予約して開始まで待つことなく、定常的に直ぐに異性利用者とのマッチングの希望順位を入力することができるようになり、利便性が大きく改善された出会い支援システムを提供することが可能となった。
【図面の簡単な説明】
【００１８】
【図１】本発明の実施形態に係る出会い支援マッチングシステムの全体図である。
【図２】本発明の実施形態に係る支援サーバのハードウェア構成を示す図である。
【図３】本発明の実施形態に係る支援サーバの機能ブロック図である。
【図４】本発明の実施形態に係る利用者情報テーブル、組み合わせ情報テーブル及びマッチング集合作成条件テーブル示す図である。
【図５】本発明の実施形態に係る希望順位入力画面を示す。
【図６】本発明の実施形態に係るペア導出の際の処理フローチャートを示す。
【発明を実施するための形態】
【００１９】
以下、本発明の実施形態について図面を参照して説明する。以下の実施形態の構成は例示であり、本発明は実施形態の構成に限定されない。
【００２０】
図１は、本実施形態における出会い支援マッチングシステムの全体図である。出会い支援マッチングシステムは、マッチング集合を作成して利用者間での出会いを支援するための支援サーバ１と、前記支援サーバ１とネットワークを通じて接続された複数の利用者端末１０と、を備えている。利用者端末１０は、出会い支援システムの利用者が操作を行うコンピュータや携帯情報端末などである。
【００２１】
図２は、本実施形態における支援サーバ１のハードウェア構成を示す。ＣＰＵ１００には、メモリ１０１、通信装置１０２、入力装置１０３、出力装置１０４、ハードディスク１０５が接続されている。ハードディスク１０５には、オペレーティングシステム１０６、出会い支援プログラム１０７などが記録されている。出会い支援プログラム１０７は、オペレーティングシステム１０６と協調してその機能を発揮するものである。
【００２２】
図３は、本実施形態における支援サーバ１の機能ブロック図を示す。支援サーバ１は、前記利用者端末１０から入力された利用者情報及び利用者のペアに関する組み合わせ情報を記録する利用者情報記録部２と、前記利用者を要素とするマッチング集合を自動で作成するための日程や対象地域、参加条件等の情報を記録する集合作成条件記録部３と、マッチングを行う為のマッチング集合を作成する集合作成手段４と、前記利用者端末１０から入力されたマッチングを行う際の希望順位を記録する順位受付手段５と、前記希望順位に基づいて前記マッチング集合に属する男性利用者及び女性利用者が重複しない複数のペアを導出するマッチング手段６と、マッチング手段６によって導出されたペアを組み合せ情報として記録するペア情報追加手段７と、組み合わせ情報として記録されたペア間で連絡を行う為の連絡手段８と、を有する。
【００２３】
利用者情報は、例えば、図４（ａ）に示すように、各利用者の利用者ＩＤ、名前、性別、などに関する基本情報、利用者端末１０上に各利用者独自の画面を取得してシステムの利用を行う為のログイン情報、他の利用者に向けて自身のプロフィールとして開示するための職業や収入、趣味、その他コメント等に関するプロフィール情報、他の利用者に向けて自身の画像を開示するための画像情報、システム内で他の利用者とやり取りしたメッセージなどを記録した連絡情報、などを備えている。
【００２４】
組み合わせ情報は、例えば、図４（ｂ）に示すように、組み合わせを一意に導出可能な組み合わせＩＤ、後述するマッチングによって導出された一人の男性利用者及び一人の女性利用者の組み合わせに関する情報、などを記録している。これらデータテーブルの記載は本実施形態における一例を示すものである。
【００２５】
マッチング集合作成条件の情報は、例えば、図４（ｃ）に示すように、集合作成条件のＩＤ、マッチングイベントの開始日時、終了日時、対象エリア、男性定員、女性定員などのマッチング集合を作成するための基本情報と、男女それぞれの年齢、学歴、身長、年収などの参加条件に関する情報、などを備えている。
【００２６】
集合作成手段４は、集合作成条件記録部３に記録されているマッチング集合作成条件と利用者情報から、複数の男性利用者及び複数の女性利用者の集合であるマッチング集合を定期的に自動で作成し、直ぐにイベント開始の状態にする。なお、システム管理者がその都度マッチングイベントを作成して参加者の募集を行い、利用者は該マッチングイベントに予約してイベントが開始されるという構成でも構わない。
【００２７】
順位受付手段５は、複数の男性利用者及び複数の女性利用者の集合であるマッチング集合において、前記利用者端末１０から入力された、同一のマッチング集合に属する異性利用者とのマッチングの希望順位の入力を受け付け、希望順位を記録する。希望順位を決定する際に、異性利用者のプロフィールの詳細や、利用者が任意に公開している画像等を閲覧可能であるのが好ましい。利用者端末１０から異性利用者に対するマッチングの希望順位を入力する際の画面例を図５に示す。利用者による希望順位の入力の受け付けには、入力を受け付ける期間が設定されているが、その期間内であれば一度入力した希望順位を変更可能であるのが好ましい。また、マッチングを希望しない異性利用者（忌避利用者）がいる場合、マッチング結果に反映されないように指定可能であるのが好ましい。
【００２８】
マッチング手段６は、希望順位に基づいて、同一のマッチング集合に属する複数の男性利用者及び複数の女性利用者が重複しない複数のペアの導出を行う。マッチングの結果導出されたペアは、ペア情報追加手段７によって組み合わせ情報として利用情報記録部２に記録され、連絡手段８によって連絡を取ることが可能となる。
【００２９】
次いで、図６を用いて、システムが複数の男女の利用者から成るマッチング集合を自動で作成するところから、利用者がペア間で連絡可能となるまでの流れを説明する。利用者は、利用者端末１０のウェブブラウザ等を用いて出会い支援システムを利用することが可能である。
【００３０】
まず、システムは予め設定されたマッチング集合作成条件に基づいて、対象地域や参加条件に合致する利用者のリストを取得する（Ｓ１）。取得した利用者の人数が男女ともに最小開催人数を超えている場合（Ｓ２でＹｅｓ）、システムは取得した複数の男女の利用者を組み込んだマッチング集合を1つ又は複数作成し、マッチング開始の状態とする（Ｓ３）。なお、一つのマッチング集合に組み込む男女の人数は基本的には何人でも構わないが、通常は男性１０人及び女性１０人の計２０人ほどに設定する。
【００３１】
次に、同一マッチング集合に参加する異性利用者とのマッチングの希望順位入力ステップに進む。希望順位の入力期間内の場合（Ｓ４でＹｅｓ）、マッチングを希望する異性利用者の希望順位の入力を行うことが可能である（Ｓ５）。希望順位を入力するに際して、各異性利用者のプロフィールなどを参照して、順位を決定する。ここで、利用者及び異性利用者間で、チャットなどを用いてコミュニケーションをとれるように構成しても構わない。また、この希望順位の入力は、希望順位の入力期間内であれば変更を加えることも可能である。
【００３２】
希望順位の入力期間が終了した場合（Ｓ４でＮ）、マッチング結果発表のステップ（Ｓ６）に進む。入力された各利用者の希望順位を基に、マッチングの結果が導出され、各利用者に通知される。マッチングの結果、ペアが導出された利用者はペアの相手と連絡を取り合うことが可能となる（Ｓ８）。そして、ペアとなった利用者の組み合わせ情報を利用者情報記録部２に記録する。ペアが導出されなかった利用者は処理を終了する（Ｓ７でＮｏ）。
【００３３】
既存の出会い支援システムでは、利用者が異性利用者にメッセージ等を送信して連絡を行うステップ、該異性利用者が該利用者のプロフィールなどを確認するステップ、該異性利用者が該利用者と連絡を取るステップもしくは連絡を取らないステップ、という流れで出会いの支援を行うことが一般的であった。しかし、人気度の高い一部の利用者に連絡が集中することによって、他の利用者は出会いの機会を失うこととなっていた。また、人気度の高い利用者には膨大な数の連絡が行われるため、それらを十分比較して検討することができなかった。
【００３４】
本実施形態によって、利用者はマッチングイベントに自ら毎回予約をすることなく、定常的に直ぐにマッチングイベントで異性利用者の希望順位を入力することができるようになり、利便性が大きく向上した。また、出会いの機会が均等に用意され、自身に適した異性利用者を容易に導出することが可能となった。人気度の高い利用者は、異性利用者からの膨大な連絡を受けることがなくなるため、自身の利用ペースに合わせて利用を行うことが可能である。
【産業上の利用可能性】
【００３５】
インターネットを用いて、マッチングによる異性利用者との出会い支援システムを提供することができる。
【符号の説明】
【００３６】
１  支援サーバ
２  利用者情報記録部
３  集合作成条件記録部
４  集合作成手段
５  順位受付手段
６  マッチング手段
７  ペア情報追加手段
８  連絡手段
１０  利用者端末
１００  ＣＰＵ
１０１  メモリ
１０２  通信装置
１０３  入力装置
１０４  出力装置
１０５  ハードディスク
１０６  ＯＳ
１０７  出会い支援プログラム
【図１】
2017146944.tif 000003
【図２】
2017146944.tif 000004
【図３】
2017146944.tif 000005
【図４】
2017146944.tif 000006
【図５】
2017146944.tif 000007
【図６】
2017146944.tif 000008